(57)【特許請求の範囲】
【請求項１】
カード等の薄手物品を収納担持する平袋状担持体を連結部を介して一定方向に多数連結してなる連続担持体をジグザグ状に折り畳んだ状態で格納するための格納部と、
平袋状担持体が払い出されるべきスリット状の物品払出口と、
連続担持体の先端部を格納部から引き出しつつ、物品払出口から装置外部へと送出するための搬送機構と、
所定の払出指令信号が到来する毎に、所定数の平袋状担持体が物品払出口から装置外部に送出されるように、搬送機構による連続担持体の送り出しを制御する搬送制御手段と、を備えて指定された量の薄手物品を平袋状担持体単位で払い出すように構成し、
搬送機構は、
左右のサイドプレートと物品払出口を有するフロントプレートからなる装置ケーシングのサイドプレート間に取り付けられ、折り畳み状態の連続担持体の先端部を引き出し、フラット状に規制した状態で上下側から挟み込むベースプレート並びに押えプレートと、
サイドプレート間に軸受され、連続担持体の先端部を物品払出口から送出する上下一対の送りローラと、
左右のサイドプレート間に取り付けられ、送りローラより払出される平袋状担持体を上下より装置外部へと挟むようにガイドする上下一対の払出口プレートと、を含んで構成され、
該送りローラの一方側には、駆動モータの回転力により減速ギヤを介してローラを回転駆動させるローラ駆動系が接続されるとともに、
該送りローラには、ローラ間を薄手物品が収容担持された平袋状担持体が通過する際、ローラ間のクリアランスを確保できるように、可動式でかつもう一方のローラ側に付勢力を作用させるバネ手段が設けられていることを特徴とする物品払出装置。
【請求項２】
一対の送りローラは、装置前面に設けられている物品払出口の先端より装置内側方向に、少なくとも一つの担持体の長さよりも遠い位置に、最大でも担持体の長さ二枚分よりも近い位置に配置されることを特徴とする請求項１に記載の物品払出装置。
【請求項３】
払出口プレートは、装置前面を形成するフロントプレートより突出するようになっていて、前記払出口プレート先端の角部には切り欠き部が設けられており、この切り欠き部から前記担持体の先端側縁部が露出することを特徴とする請求項１又は２に記載の物品払出装置。
【請求項４】
連続担持体には、送出方向に沿って所定ピッチ間隔でカウントマークが付されており、
搬送制御手段は、
搬送状態にある連続担持体に付されたカウントマークを検出する手段と、
該検出手段から得られるカウントマーク検出信号に基づき、所定数の担持体が払出口から装置外部へと送出されるように搬送機構による連続担持体の搬送量を制御する制御手段と、
を有してなることを特徴とする請求項１乃至３の何れかに記載の物品払出装置。
【請求項５】
カウントマークは、インク等を使用した刻印とされ、カウントマークの検出手段は、光電センサを含んで構成されることを特徴とする請求項４に記載の物品払出装置。
【請求項６】
搬送制御手段は、
所定の払出信号が到来する毎に連続担持体の送出動作を開始し、カウントマーク検出信号に基づき該送出動作を終了するよう搬送機構を制御するマイクロコンピュータと、
連続担持体の送出動作が一定時間以上継続して行われたときには、搬送機構による送出動作を強制的に中止するための外部サポート回路と、
をさらに有してなることを特徴とする請求項４又は５に記載の物品払出装置。
【請求項７】
搬送制御手段は、駆動モータの回転により制御されるローラの回転方向を、正転方向又は逆転方向へと切換可能とする正転逆転切換スイッチを更に有することを特徴とする請求項４乃至６の何れかに記載の物品払出装置。
【発明の詳細な説明】
【０００１】
【発明の属する技術分野】
この発明は、例えば、テレフォンカード、スクラッチカード、商品券、或いは紙幣等の薄手物品の自動払い出しに好適な物品払出装置に係り、特に、積載した状態で収容される複数の薄手物品から、所定数の薄手物品を適切に抽出可能とした物品払出装置に関する。
【０００２】
【従来の技術】
例えば、テレフォンカード、スクラッチカード等のカード発行機においては、所定スペース内により多くのカードを収容するため、カードは発行機内の所定箇所に複数枚積載された状態でストックされる。
【０００３】
カード発行機は、例えば、使用者が現金等を投入したことを検知すると、積載状態にある複数枚のカード群から例えば最上位又は最下位に位置する１枚のカードをローラ等により適宜引き出し抽出し、所定払出口まで搬送することによりカードの払出しを行うのが一般的である。
【０００４】
また、カード発行機以外にも、金銭両替機、ゲーム機、或いはその他各種の自動販売機等においても、それぞれの払出対象となる紙幣やそれに類似する金券（商品券等）等の薄手物品は、カードと同様に複数枚重ね合わせた積載状態でストックされるのが一般的である。そして、それら金銭両替機等は、同様に、積載状態にある紙幣群等の中から例えば最上位又は最下位に位置する１枚を順次抽出或いは選別することで所定枚数の紙幣又は金券等をカウントし、１枚ずつ或いは纏めて払い出すのが一般的である。
【０００５】
【発明が解決しようとする課題】
上述したように、カード発行機、金銭両替機、各種自動販売機、ゲーム機等においては、各種カード類や紙幣、金券等の薄手物品は、複数枚積載状態でストックされているため、その中から適宜の１枚を抽出する際には、それに密着して積載されている他の薄手物品との間で生じる摩擦力や吸着力により複数枚が同時に抽出されてしまうといったトラブルが生じ易いものであった。このことは、‘カード詰まり’や‘過剰払い出し’といったトラブルの原因ともなり、装置の信頼性を損なう要因ともなっていた。特に、梅雨期等には、湿度の影響により、薄手物品間での摩擦力や吸着力はより一層大きくなりやすく、そのようなトラブル発生は顕著となる。
【０００６】
更に、これら薄手物品は、全面が露出された状態で積み重ねてストックされ、払い出し時には搬送経路やローラ間を通過するため、その際の汚れ等の付着は避け難いものであった。特に、スクラッチカードやテレフォンカード等のカード類においては、その際にスクラッチ面や磁性層塗布面等が傷つけられる場合が多く、カード自体の機能が損なわれるといった問題も生じていた。
【０００７】
この発明は、上述のような問題点に着目してなされたものであり、その目的とするところは、簡易な構成でカード等の薄手物品の確実な払い出しを可能とするとともに、汚損、破損等を未然に防止可能とした物品払出装置を提供するところにある。
【０００８】
この発明の更に他の目的とするところは、上述の物品払出装置に好適に用いられる連続担持体を提供するところにある。
【０００９】
この発明のさらに他の目的並びに作用効果については、以下の記述を参照することにより、当業者であれば容易に理解されるであろう。
【００１０】
【課題を解決するための手段】
上記目的を達成するために、本発明の物品払出装置は、カード等の薄手物品を収納担持する平袋状担持体を連結部を介して一定方向に多数連結してなる連続担持体をジグザグ状に折り畳んだ状態で格納するための格納部と、平袋状担持体が払い出されるべきスリット状の物品払出口と、連続担持体の先端部を格納部から引き出しつつ、物品払出口から装置外部へと送出するための搬送機構と、所定の払出指令信号が到来する毎に、所定数の平袋状担持体が物品払出口から装置外部に送出されるように、搬送機構による連続担持体の送り出しを制御する搬送制御手段と、を備え、指定された量の薄手物品を平袋状担持体単位で払い出すことを特徴とする。
【００１１】
ここで、『薄手物品』とあるが、これには、例えば、テレフォンカード、スクラッチカード等の各種カード類の他、商品券等の各種金券、紙幣等を挙げることができる。この他にも、本発明の物品払出装置は、平袋状の担持体に収容担持可能なものであれば種々の物品の払出に使用可能である。
【００１２】
『平袋状担持体』とあるが、その素材、収容担持態様については特に限定されない。例えば、表面に透明の素材（例えばポリエステルフィルム等）を用いることで、内容物（薄手状物品）を外部から視認可能にすることもできる。また、例えば、再生紙を使用した平袋状担持体とすることで、コストを押さえることもできる。また、収容担持態様としては、薄手状物品を完全密封したものや、薄手状物品の全体を覆いつつも差し入れ口を設けた略包装状態としたもの、或いは、薄手状物品の裏面全体と表面の一部（例えば四隅）とで担持するようにしたもの等々、種々のものが挙げられる。
【００１３】
『平袋状担持体を〜多数連結してなる連続担持体』とあるが、これは、結果的に平袋状担持体が連結状態となっていることを意味するものであり、「連続担持体」を、平袋状担持体を連結して作成乃至生産したものに限定するための記載ではない。例えば、『連続担持体』の具体的一例として、連続用紙からなる基材シートの表面にカバーシートを重ね合わせ、両シート間に所定パターンの溶着部を設けることにより、紙送り方向に沿って所定ピッチ間隔で複数のポケットが列設されているポケット付連続紙を挙げることもできる。この場合には、結果的に、平袋状担持体が‘連結’されていることとなる。尚、この一例による連続担持体（ポケット付連続紙）にあっては、内容物の出し入れの良好性、低コスト生産性等のメリットを得ることができる。
【００１４】
『格納部』とあるが、これは、例えば専用ケース等であってもよいし、物品払出装置内に区画された任意のスペースであってもよい。少なくとも、ここでは、連続担持体がジグザグ状に折り畳まれた状態で物品払出装置内に格納されることを意味している。尚、『ジグザグ状』としたのは、連続担持体をよりコンパクトに格納することを主たる目的としたものであり、如何なる状態を‘ジグザグ状’と称し、いかなる状態は‘ジグザク状’と称さないかについては、当該目的を考慮した一般的な当業者の常識から判断されるべきである。
【００１５】
『引き出しつつ』とあるが、必ずしも、引き出し動作と払出口からの送出動作とを同時に行う必要がないことは言うまでもない。例えば、一定量の引き出しを予め行ったのち、払出口からの送出動作を行うようにすることも可能である。
【００１６】
『払出指令信号』とあるが、これは、例えば、金銭購入による物品払出等を行う場合には、金銭投入及び所定購入ボタン等の押下がなされたのち発生されるようにするとよいであろう。
【００１７】
『所定数の平袋状担持体が〜送出される』なる記載からも分かるように、１回の払い出しにおける平袋状担持体の送出数量は、必ずしも１つに限定されない。更には、平袋状担持体に収容担持される薄手物品の数量も必ずしも１つ（１枚）に限定されない。すなわち、平袋状担持体の払出数量は、各平袋状担持体に収容担持された物品の数量と、例えば購入数別に複数設けられた購入ボタン等の押下に基づきそのとき決定される物品の払出数量とに基づき、適宜決定されるようにすることができる。尚、『指定された量の薄手物品』とあるが、当該指定量は、上述したような購入ボタン等によりその都度決定される量であってもよいが、予め定められた量であってもよいことは無論である。少なくとも、本発明においては、薄手物品は、『平袋状担持体単位』で払い出されることを特徴としている。
【００１８】
上述したように、本発明の物品払出装置は、各平袋状担持体に所定数量の例えばテレフォンカードや紙幣等の薄手状物品を予め収容担持しておき、それら物品を平袋状担持体単位で順次払い出すものであるから、従前の物品払出装置において問題となっていた薄手物品同士の吸着等に基づく過剰払出を未然に防止することができる。また、本発明の物品払出装置の払い出し対象となるカード等の薄手物品は、平袋状の担持体に収容されるものであるから、適切な収容態様とすることで、薄手物品の汚損等を未然に防止することも可能となる。
【００１９】
次に、本発明の物品払出装置においては、薄手物品の払い出しに際して、装置外部に送出された（払い出された）平袋状担持体を、装置内部の平袋状担持体（連続担持体）から切り離す作業が必要となる。これは、例えば、払出口付近にカッター等の切断具を設けておくか、或いは、別途、ハサミ等を用いて連結部を切断することでも容易に解決できるが、好ましくは、平袋状担持体同士の連結部のそれぞれに、隣接する担持体同士を適宜切り離し可能に区画するミシン目等の連続孔若しくは表面傷加工を予め施こしておく。
【００２０】
このような態様によれば、ハサミやカッター等の切断具を用いずとも、簡易かつ適切に、払い出された分の平袋状担持体を装置内部の平袋状担持体から切り離す（引きち切る）ことができる。また、このミシン目等の連続孔若しくは表面傷加工が施された連結部を利用すれば、隣接する担持体同士を簡易に折り返すことができるから、連続担持体をジグザグ状に折り畳み収容する際にも便利である。
【００２１】
次に、本発明の物品払出装置における『搬送機構』としては、種々の態様のものが想定されるが、好ましい一態様では、薄手物品が収容担持された状態の連続担持体の先端部を両面側から堅固に挟持しつつ、物品払出口から徐々に送出するための一対の送りローラ（例えば、ゴム製ローラ）が装置内部の払出口近傍に設けられている。
【００２２】
このような態様によれば、ローラの回転量を適切に調整することで、所定数の平袋状担持体の払い出しが可能となるだけでなく、払い出しが一旦完了した後には、連続担持体の先端部に位置する平袋状担持体（次順の払い出し対象となる平袋状担持体）が該一対のローラにより堅固に挟持されるから、いたずら等により該平袋状担持体が強引に引き出されるといった心配もない。
【００２３】
また、更に好ましい一態様では、搬送機構は、左右のサイドプレートと物品払出口を有するフロントプレートからなる装置ケーシングのサイドプレート間に取り付けられ、折り畳み状態の連続担持体の先端部を引き出し、フラット状に規制した状態で上下側から挟み込むベースプレート並びに押えプレートと、サイドプレート間に軸受され、連続担持体の先端部を物品払出口から送出する上下一対の送りローラと、を含んで構成され、該送りローラの一方側には、駆動モータの回転力により減速ギアを介してローラを回転駆動させるローラ駆動系が接続されるとともに、該送りローラの他方側には、ローラ間を薄手物品が収容担持された平袋状担持体が通過する際、ローラ間のクリアランスを確保できるように、可動式でかつもう一方のローラ側に付勢力を作用させるバネ手段が設けられる。
【００２４】
そして、このような搬送機構を備えた物品払出装置によれば、連続担持体は、左右のサイドプレートと上下プレートにより適切にガイドつつ搬送されるから、装置内部で連続担持体が絡まったりする心配もない。
【００２５】
また、上側の送りローラは、サイドプレートに対して上下動自在に支持され、かつ下方向にバネ付勢されているため、平袋状担持体を送り出す際、薄手物品の厚み等に合わせて上側の送りローラは上方に可動しながらも、付勢スプリングにより適切なローラ圧を付与できるため、連続担持体のローラ送りにより有効に対応できる。
【００２６】
加えて、連続担持体の先端をつまんで無理矢理引き出すような不正行為は、モータ及び減速ギアによる逆転阻止力によって、ローラが逆転しないので、確実に阻止される。
【００２７】
更に好ましい一態様では、一対の送りローラは、装置前面に設けられている物品払出口の先端より装置内部に方向に、少なくとも一つの担持体の長さよりも遠い位置に、最大でも担持体の長さ二枚分よりも近い位置に配置されている。
【００２８】
このような構成によれば、利用者によって一つの担持体が連結部から切り離されると、次なる担持体の先端は払出口よりずっと奥の送りローラの位置にあるので、払出口よりピンセット等を差し込んで直接連続担持体をつかんで引き出してしまう等といういたずら行為を確実に防止できる。
【００２９】
ここで『少なくとも〜長さよりも遠い位置』としたのは、利用者が対象となるカード等を保持する一つの担持体を切り離すためには、一対の送りローラによって一回分の搬送（担持体の先端が払出口まで達するまでの搬送）が完了したときに、ミシン目等の連続孔や表面傷加工が該一対の送りローラよりも払出口側に位置するように設定しなければならないことを考慮したためである。既に延べたように、一対の送りローラは一回分の搬送が動作が完了すると、上下より連続担持体を堅固に挟み込むため、切り離すための連続孔等は該一対の送りローラよりも払出口側に位置していないと利用者によって切り離すことができなくなってしまうためである。更に、利用者によって対象となる担持体の切り離しが完了すれば、次なる担持体の先端部が払出口より離れていることによって、払出口から直接連続担持体をつかんで引っ張り出してしまう、または引っ張り出そうとしてカード等や担持体に傷を付けてしまったり、破ってしまう等の行為を未然に防ぐことができる。
【００３０】
また、『最大でも〜二枚分よりも近い位置』としたのは、一対の送りローラよりも払出口側に担持体二枚分よりも遠い位置に配置するような場合、複数の担持体を送りローラよりも前方に搬送しなければならない。複数の担持体が送りローラと払出口との間に搬送されてしまうと、一度に送りローラより前方に位置する複数枚の担持体を切り離されてしまう虞がある。更に、そのような事態には、次の利用者は金銭投入を行ったとしても、担持体が利用者の手の届く位置まで搬送されないという事態を招いてしまう。また、そのような構成が装置を必要以上に大きくしてしまうことは言うまでもない。
【００３１】
また、更に好ましい一態様では、払出口プレートは、フロントプレートより突出するようになっていて、前記払出口プレート先端の角部には切り欠き部が設けられており、この切り欠き部から前記担持体の先端側縁部が露出するようにしてもよい。
【００３２】
このような態様によれば、利用者は払い出される担持体を切り欠き部を介して容易につかむことが可能となる。しかも、この切り欠き部から露出する担持体の側縁部を指先で引っ張れば、連結部であるキリトリ線には偏った力が加わるため、担持体の切り離しを比較的に弱い力で行うことができる。
【００３３】
次に、本発明の物品払出装置における搬送機構の制御手段乃至制御方法としては、種々の態様のものを挙げることができる。一例としては、一回の払出毎に予め規定された時間だけ搬送処理が継続されるように制御を行うものを挙げることができる。他の一例としては、センサ等により検出される連続担持体の搬送量に基づく制御を行うものが挙げられる。何れの場合にも、適切な数量の平袋状担持体が払出口から送出されるよう制御が行われることは言うまでもない。
【００３４】
より具体的な一態様としては、連続担持体には送出（搬送）方向に沿って所定ピッチ間隔でカウントマークが付されており、搬送制御手段として、搬送状態にある連続担持体に付されたカウントマークを検出する手段と、該検出手段から得られるカウントマーク検出信号に基づき、所定数の担持体が払出口から装置外部へと送出されるように搬送機構による連続担持体の搬送量を制御する制御手段とを有する物品払出装置が挙げられる。
【００３５】
ここで、『カウントマーク』とあるが、これは、『カウントマーク検出手段』との組み合わせで決定される。すなわち、一例としては、例えば、カウントマークをインク等を使用した線・模様等の刻印とし、カウントマークの検出手段を光電センサとしたものを挙げることができる。この場合には、例えば、全ての平袋状担持体の所定位置にカウントマークを付しておき、装置の固定箇所に設置された投受光器を介して搬送状態にある平袋状担持体のカウントマークが検出される毎に搬送処理が終了されるようにマイコン制御等すれば、平袋状担持体を１つずつ確実に払い出すことが可能となる。また、１回の搬送で複数の平袋状担持体を払い出すような場合には、カウントマークを累積カウントするか、或いは、予めとびとびにカウントマークを付しておくようにする。また、投受光器を複数箇所に設置して、所定間隔で連続担持体に付されたカウントマークの移動量を検出することで、搬送制御を行うことも可能である。
【００３６】
この他にも、例えば、カウントマークを所定形状の‘突起部’とし、カウントマーク検出手段を当該‘突起部’の有無によりＯＮ・ＯＦＦ動作されるマイクロスイッチとしたもの等々、当業者であればカウントマークを使用した種々の制御手段乃至方法が想到されるであろう。
【００３７】
次に、このように連続担持体にカウントマークを付した態様の物品払出装置において、更に好ましい一態様として、搬送制御手段が、所定の払出信号が到来する毎に連続担持体の送出動作を開始し、カウントマーク検出信号に基づき該送出動作を終了するよう搬送機構を制御するマイクロコンピュータと、連続担持体の送出動作が一定時間以上継続して行われたときには、搬送機構による送出動作を強制的に中止するための外部サポート回路と、を有してなるものを挙げることができる。
【００３８】
ここで、『外部サポート回路』とあるが、これは、例えば、送出動作の開始と共に一定時間（例えば３秒）の計時を開始し、該一定時間が経過したときには、搬送機構の駆動部への電流経路を遮断する時限リレースイッチ等を挙げることができる。尚、ここで言う「一定時間」は、搬送機構による平袋状担持体の単位時間当たりの装置外部への送出量と、１回の払い出し処理における平袋状担持体の払出数との兼ね合いで定められることは言うまでもない。
【００３９】
このような態様によれば、例えば、マイクロコンピュータ等の故障等により、送出動作が適切に終了されないような事態が発生した場合にあっても、規定数以上の平袋状担持体が払出口から送出される前に、その払出動作を中止することが可能となる。
【００４０】
また、更に好ましい一態様では、搬送制御手段は、駆動モータの回転により制御されるローラの回転方向を、正転方向又は逆転方向へと切換可能とする正転逆転切換スイッチを有する。
【００４１】
ここで『正転方向』とはカード等を保持している連続担持体を装置前面に設けられた払出口へと搬送するための駆動ローラの回転方向のことである。また、『逆転方向』とは、連続担持体を払出口とは逆に装置内部へと搬送するための駆動ローラの回転方向のことである。このような構成により、通常は払出口へと連続担持体を搬送するために正転方向に駆動ローラを回転させているが、カードの入れ替え等の際に逆転方向に回転させ、取り替え作業を容易に行うことが可能となる。
【００４２】
好ましい実施の一態様では、指定された量の薄手物品を平袋状担持体単位で払い出す物品払出装置に使用される連続担持体であって、カード等の薄手物品を収納担持する平袋状担持体を連結部を介して一定方向に多数連結してなる連続担持体が用いられる。
【００４３】
また、更に好ましい実施の一態様では、連続担持体には、送出方向に沿って所定ピッチ間隔でカウントマークが付されている。
【００４４】
また、更に好ましい実施の一態様では、連続用紙からなる基材シートの表面にカバーシートを重ね合わせ、両シート間に所定パターンの溶着部を設けることにより、紙送り方向に沿って所定ピッチ間隔で複数のポケットが列設され、隣接するポケット同士を区画するミシン目が開設されるとともに、このミシン目を基にジグザグ状に折り畳み収容されている。
【００４５】
また、更に好ましい実施の一態様では、基材シートには、紙送り方向に沿って所定ピッチ間隔でカウントマークが付されている。
【００４６】
【発明の実施の形態】
以下、本発明に係る物品払出装置、並びに当該物品払出装置に好適に使用される連続担持体の好適な実施の一形態について、添付図面を参照しつつ詳細に説明する。尚、以下の実施の形態では、物品払出装置の一例として‘カード払出装置’を、連続担持体の一例として‘ポケット付連続紙’をそれぞれ示して説明する。
【００４７】
図１乃至図３は本発明に係るポケット付連続紙の一実施形態を示すもので、図１はポケット付連続紙の平面図、図２はポケット付連続紙の構成を示す断面図、図３はポケット付連続紙を経本状（ジグザグ状）に折り畳んだ状態を示す外観図、図４はポケット付連続紙のカード払出装置内における格納状態を示す図である。
【００４８】
また、図５乃至図９は本発明に係るカード払出装置の構成を示すもので、図５はカード払出装置の側面図、図５はカード払出装置の平面図、図７乃至図９はカード払出装置の動作を示す各説明図である。
【００４９】
図１，図２に示されるように、本発明に係るポケット付連続紙１０は、合成紙、再生紙等を素材とした連続用紙からなる基材シート１１と、この基材シート１１の表面側に重ね合わされるポリエステルフィルム等の透明フィルム１２とから構成され、図１中斜線で示す所定パターンの溶着部１３を熱溶着することにより、１辺にポケット開口１４を形成したポケット１５を基材シート１１の紙送り方向に沿って列設したことが特徴である。尚、隣接するポケット１５間には切断用のミシン目１６が開設されている。
【００５０】
このポケット付連続紙１０は、この実施形態では基材シート１１の紙幅が１００ｍｍであり、紙送り方向に沿って７５ｍｍ間隔で上記ミシン目１６が幅方向に沿って開設されている。換言すれば、このポケット付連続紙１０は、１００ｍｍ×７５ｍｍの平袋状担持体（以下ポケット担持体１８と言う）が複数連結された連続担持体として構成されている。
【００５１】
そして、当該ポケット付連続紙１０は、この例では、ポケット１５内に各種カード（スクラッチカード、テレフォンカード等）が略包装状体で収容担持されるパッケージシートとして使用される。
【００５２】
各ポケット担持体１８の基材シート１１裏面の所定位置には、カウントマーク１７が印刷されている。本実施の形態では、このカウントマーク１７を光電センサで検出することにより紙送り精度を向上させるようにしている。尚、光電センサ並びに光電センサによるカウントマーク１７の検出原理については後述する。
【００５３】
また、この例では、ポケット１５の表面を透明フィルム１２で構成することにより、収容物（カード類）を外部から容易に視認できるようにされている。尚、透明フィルム１２に替えて、半透明着色フィルム、あるいは一部に窓を設けた紙材シートを用いるようにしてもよい。
【００５４】
次いで、上記ポケット付連続紙１０の使用形態について説明する。ポケット付連続紙１０には、図１に示すように、ポケット付連続紙１０の長手方向に沿って所定ピッチ間隔で形成されているポケット１５，１５…の開口１４を通して、この例ではスクラッチカードやテレフォンカード等のカード類Ｃが収容担持される。尚、ポケット１５の寸法は幅６５ｍｍ、長さ９０ｍｍに設定されているため、規格寸法のカード類Ｃを汎用性をもたせて収容することが可能である。
【００５５】
本実施形態によれば、各ポケット１５にカード類Ｃを収容した状態で、図４以下に示すカード払出装置２０を使用して、ポケット付連続紙１０を所定寸法送り出した後、ミシン目１６を基に切断することにより、パッケージ状態のカード類Ｃを各ポケット担持体単位で払出すことができる。したがって、従来の各種の払出装置のように、積載格納された状態にあるカード同士の不慮の密着等に基づく‘カード詰まり’や‘過剰払出’等の不具合が生じることはなく、精度良くカード類Ｃを払出すことができる。
【００５６】
また、本実施形態によれば、カード類Ｃが直接ローラ等に触れることがないため、払出装置２０内のローラ等により汚れが付着したり、また、傷付き等が生じることがなく、カード類Ｃの商品価値を低下させる虞もない。
【００５７】
更に、ポケット付連続紙１０におけるポケット１５の寸法を大きく設定しておけば、テレフォンカードやスクラッチカード等のカード類Ｃは基より、商品券等の金券や両替機に使用する紙幣等にも適用でき、あらゆる用途への使用が可能となる。
【００５８】
本実施形態に係るポケット付連続紙１０は、図３に示すように、隣接するポケット担持体１８同士をミシン目１６を利用して折り返すことにより、ポケット付連続紙１０全体がジグザグ折り状態でストックされる。より具体的には、図４に示されるように、カード払出装置２０内に設けられた格納ケース１００内にジグザグ状の折り畳み状態で格納され、その先端部（始端Ａ）から順次払出口２４側へと引き出されることとなる。そのため、カード類Ｃがカール状態に変形したりすることがなく、かつ、省スペースで多量のカード類Ｃを良好なフラット状態で効率良く収容することができる。
【００５９】
次いで、上記ポケット付連続紙１０を使用したカード払出装置２０の構成について図５乃至図９に沿って説明する。
【００６０】
図５，図６に示すように、本発明に係るカード払出装置２０におけるカード払出装置２０のケーシングは、左側サイドプレート２１、右側サイドプレート２２及びフロントプレート２３とから構成され、左右側サイドプレート２１，２２の各フランジ２１ａ，２２ａに対して上下側のフロントプレート２３ａ，２３ｂがカード払出口２４の寸法を確保しつつビス止め固定されることにより組み付けられている。
【００６１】
そして、左右のサイドプレート２１，２２間のスペース内には、ベースプレート２５と、その上方に位置する押えプレート２６がそれぞれ各サイドプレート２１，２２にビス止め固定されている。
【００６２】
上記ベースプレート２５は、ジグザグ状に折り畳まれた状態で格納ケース１００に格納されているポケット付連続紙１０の送り出し端部Ａをローラ３０，４０側に搬送するための水平面状の搬送面を備えており、このベースプレート２５上を搬送されるポケット付連続紙１０は、押えプレート２６により水平状態に規制されるように押え込まれる。尚、この例では、ベースプレート２５並びに押さえプレート２６は、両プレート間に約一枚分のポケット担持体が押さえ込まれるように寸法設計がされている。
【００６３】
また、この押えプレート２６は、取付片２６ａに開設された長孔２６ｂ（ネジが挿通される）により、両サイドプレート２１，２２に対する取付位置を上下方向に可変でき、ポケット付連続紙１０の厚み変化に柔軟に対応できるようになっている。
【００６４】
ベースプレート２５のフロント側端末２５ａには、ゴム製の送りローラ３０，４０が上下対称状に設けられている。下側の送りローラ３０は、駆動ローラとして機能する。
【００６５】
図５，図６中において、左右側のサイドプレート２１，２２間でかつベースプレート２５の下方のスペースに収容されている駆動モータ３１の回転軸は、図示しない変速ギアを介して原動プーリー３２の回転軸３２ａに接続されており、駆動モータ３１の回転力が原動プーリー３２に伝達される。更に、この原動プーリー３２と送りローラ３０のローラシャフト３３に取り付けた従動プーリー３４との間には、タイミングベルト３５が掛け渡されているため、駆動モータ３１の回転力は原動プーリー３２、従動プーリー３４を介して送りローラ３０に伝達される。また、タイミングベルト３５に適切なテンションを付与するために、右側サイドプレート２２の外壁面にはテンションローラ３６が回動自在に設けられている。
【００６６】
したがって、駆動モータ３１の動作により回転駆動される下側の送りローラ３０と、この下側の送りローラ３０と当接する上側の送りローラ４０によりポケット付連続紙１０が所定長さ払出される。尚、より具体的には、この例では、一回の払出でポケット担持体１枚分（７５ｍｍ）が送出される。
【００６７】
次に、上側の送りローラ４０について説明する。送りローラ４０のローラシャフト４１の両端は左右のサイドプレート２１，２２の長孔４２内に上下動自在に挿通されており、このローラシャフト４１の両端を支持する各ブラケットアーム４３が、左右側のサイドプレート２１，２２の外側壁面に沿って回動支点４４を基に回動自在に、かつ、スプリング４５により常にローラシャフト４１が下方にバネ付勢されるように支持されている。
【００６８】
したがって、ポケット付連続紙１０の各ポケット担持体１８内にカード類Ｃを収容した場合でも、上側の送りローラ４０が上下動自在に支持されているため、本発明に係るポケット付連続紙１０をスムーズに搬送処理できる。
【００６９】
次に、本実施形態のカード払出装置２０にあっては、図１に示すポケット付連続紙１０を搬送する場合、送りローラ３０，４０が動作して、ポケット付連続紙１０を７５ｍｍ（ポケット担持体１枚分）送り出した後、停止して、ポケット担持体単位の精度の良い払い出し（送出）を可能にするために、先に説明したカウントマーク１７を検出するための投受光器（光電センサ）５０をベースプレート２５の下方に設けている。尚、図５中に示される開口２５ｂは、投受光器５０の投受光を許容するためにペースプレート２５に設けられた投受光口であり、この投受光器５０は、ベースプレート２５に固定設置された回路基盤６０上に搭載されている。
【００７０】
また、右側サイドプレート２２の内壁面には、ベースプレート２５上のポケット付連続紙１０の存在有無（例えばカード切れ状態等）を検出するためのマイクロスイッチ５１が配設されている。このマイクロスイッチ５１は、先端が三角形上に折り曲げられた細長形状のアクチュエータ５３を有しており、このアクチュエータ５３は、回動支点５２を介してマイクロスイッチ５１に対して上下回動自在となるように、上向きにバネ付勢されつつ連結されている。尚、両プレート２５，２６には、このアクチュエータ５３の上下回動を許容するための開口２５ａ，２６ｂがそれぞれ設けられている。
【００７１】
すなわち、このアクチュエータは５３は、ベースプレート２５上に、ポケット担持体１８が存在しないときには、その三角形上の先端部が両プレートの開口２５ａ，２６ｂから上方に突出され、このとき、マイクロスイッチ５１は、回動支点５２のを介してこの状態を読み取り、例えば‘ＯＦＦ’状態となる。
【００７２】
一方、ベースプレート２５上に、ポケット担持体１８が在るときには、アクチュエータ５３は、その先端部がポケット担持体１８の存在により下方に押圧された状態に維持される。このとき、マイクロスイッチ５１は、回動支点５２のを介してこの状態を読み取り、例えば‘ＯＮ’状態となる。
【００７３】
図７は、上述の光電センサ並びにマイクロスイッチの動作に基づくカード払出制御を行うために、本実施の形態で採用される回路全体の概略構成を示した図である。
【００７４】
同図に示されるように、本実施の形態における制御回路は、投受光器５０を含む光電センサ６０と、光電センサ６０からの検出有無信号をインターフェース６１を介して読み取るＭＰＵ（マイクロプロセッサ）６２と、スイッチングトランジスタ６３ａ，６３ｂを介してＭＰＵ６２によりそれぞれＯＮ・ＯＦＦ制御されるリレー６４、タイマ（時限スイッチ）６５と、リレー６４のＯＮで‘閉’となりＯＦＦで‘開’となる常開接点Ｒａと、リレー６４のＯＮで‘開’となりＯＦＦで‘閉’となる常閉接点Ｒｂと、時限スイッチ６５のタイムアップで‘開’となる常閉接点Ｔｂと、マイクロスイッチ５１と、送り出しスイッチ５５とを有している。
【００７５】
マイクロスイッチ５１、リレーの常開接点Ｒａ、並びにタイマの常閉接点Ｔｂは、モータ３１に対して直列となるように、モータ３１の電源供給経路に接続されている。尚、送り出しスイッチは６６は、この例では、例えば装置２０の点検員等が、強制的にポケット付連続紙１０を送り出すような場合に使用される点検用スイッチであり、マイクロスイッチ５１、リレーの常開接点Ｒａ、並びにタイマの常閉接点Ｔｂの状態とは関係なくモータ３１に電源供給できるように、それらと並列状態でモータ３１に接続されている。
【００７６】
リレーの常閉接点Ｒｂは、リレー６４の動作状態をＭＰＵで読み取るためのものであり、インターフェース６１を介してＭＰＵに直結されている。
【００７７】
また、同図中に示される“カード発行指令信号”は、図示されない購入スイッチ等を介してＭＰＵに入力されるものである。例えば、金銭投入口に金銭を投入後、利用者が購入スイッチを押下することで、当該“カード発行指令”が発生するようにされている。これについては、既に公知の技術であるからここでの詳細説明は省略する。
【００７８】
ＭＰＵ６２の動作内容が図８のフローチャートにより示されている。同図に示されるように、ＭＰＵは、カード発行指令信号の到来と共に（ステップ８０１ＹＥＳ）、スイッチングトランジスタ６３ａを介してリレー６４をＯＮ状態にセットする（ステップ８０２）。このとき、モータ３１に直列に接続された常開接点Ｒａは、“閉”状態となる。したがって、マイクロスイッチ５１が“閉”（この例では、ベースプレート常にポケット付連続紙１０が存在する‘ＯＮ’状態）であり、かつ、タイマの常閉接点Ｒｂが“閉”のときには、モータ３１が“ＯＮ”となり、ポケット付連続紙１０の送出動作が開始される。
【００７９】
当該ポケット付連続紙１０の送出動作は、光電センサ６０からカウントマーク検出信号が到来するまで継続される（ステップ８０４ＮＯ，ステップ８０５）。一方、ポケット付連続紙１０の送出動作が継続され、光電センサ６０において、図１に示されるカウントマーク１７が検出されると（ステップ８０４ＹＥＳ）、ＭＰＵ６２はリレー６４をＯＦＦにする（ステップ８０６）。これにより、常開接点Ｒａが“開”状態となり、モータ３１への電源供給が絶たれ、ポケット付連続紙１０の送出動作がストップされる。
【００８０】
尚、この例では、カウントマーク１７は、ポケット付連続紙１０上に７５ｍｍ間隔で存在するように、投受光器５０の設置位置を考慮しつつ各ポケット担持体の所定位置に印字されている。すなわち、ＭＰＵ６２は、この例では、カード発行指令信号の到来毎に、１つのポケット担持体を送出するべく、リレー６４のＯＮ・ＯＦＦ制御を行っていることになる。
【００８１】
尚、カード発行指令信号が到来するまでは、ＭＰＵ６２は待機状態にある（ステップ８０１ＮＯ，ステップ８０２）。
【００８２】
また、本実施の形態では、ＭＰＵ６２は、ポケット付連続紙１０の送出動作が一定時間以上継続して行われたときには、該送出動作が強制的に中止されるよう、外部サポート回路としてのタイマ６５を制御する。
【００８３】
同図フローチャートに示されるように、ＭＰＵ６２は、常閉接点Ｒｂの開閉状態をインターフェース６１介して常時監視しており、Ｒｂ接点が“開”状態のとき、すなわち、リレー６４が動作状態にあるときに限り、タイマＴを動作（計時）させるようにしている（ステップ８１１ＹＥＳ，ステップ８１２）。尚、常閉接点Ｒｂが“閉”状態になると、タイマＴは直ちにリセット（ＯＦＦ）される（ステップ８１１ＮＯ，ステップ８１２）。
【００８４】
タイマＴは、動作が開始されてからｘ秒後に常閉接点Ｔｂを“開”するものであり、これにより、モータ３１への電源供給が絶たれ、ポケット付連続紙１０の送出が停止される。
【００８５】
この計測時間ｘは、ローラ３０による１つのポケット担持体１８の払い出しに要する時間より僅かに長めに設定されている。すなわち、本実施の形態では、ポケット付連続紙１０の送出量をカウントマーク１７に基づき検知することでポケット担持体１枚毎の送出（払出）を可能とする一方で、ポケット付連続紙１０の送出時間制限を行うことで、センサ故障や常開接点Ｒａの接点不良等に基づく１枚以上の送り出し（過剰払出）を確実に防止している。
【００８６】
尚、上述の説明では、ＭＰＵ６２は、リレー６４の動作状態を常閉接点Ｒｂを介して読み取るようにした。これは、ＭＰＵ６２からリレー６４のＯＮ・ＯＦＦ制御信号が出力されているか否かをＭＰＵ内で直接検知するのではなく、リレー６４の実際の動作状態を検知することにより、実際にリレーＲが作動し、ポケット付連続紙１０が送出されているときのみタイマＴを動作させることにより、誤動作をより確実に防止するための構成である。図９は、このように、的確にタイマＴを動作させる場合に好適とされる回路構成の他の一例を示す図である。同図に示されるように、この例では、タイマＴは、ＭＰＵ６２から独立して設けられている。変わって、リレーＲのもう一つの常開接点ＲａがタイマＴと接続されており、したがって、接点Ｒａが“閉”状態、すなわちリレーＲが動作しているときのみ計時が開始されるようにされている。このような形態によれば、タイマＴは、ＭＰＵとは独立されてＯＮ・ＯＦＦされるから、例えば、ＭＰＵが暴走したような場合にあっても、有効に機能される。
【００８７】
以上が本発明に係るカード払出装置２０の主要構成であるが、次に、本発明に係るカード払出装置２０の変形例を図１３乃至図１７を基に説明する。図１３及び図１４はカード払出装置の外観斜視図、図１５はカード払出装置の分解斜視図、図１６はローラと連続紙との位置関係の説明図、図１７は払出口先端に設けられた切り欠き部を説明するための図である。尚、これらの図において、前述の実施形態と同様の箇所には同じ符号が付されている。
【００８８】
この変形例において、主たる構造は上述の実施形態と同様であるため説明は省略するが、搬送機構の駆動モータの回転力を送りローラに伝達するためのローラ駆動系において、プーリーとベルトを用いる代わりにギアを用いることも可能である。
【００８９】
図１３及び図１５にて示されるように、駆動モータ３１の回転軸には図示しない減速ギアを介して原動ギアの回転軸３７ａが接続されており、これにより駆動モータ３１の回転力が原動ギア３７に伝達される。更に、送りローラ３０のローラシャフト３３はサイドプレート２１に設けられた孔４６に挿入されており、サイドプレート２１の外側に突出するローラシャフト３３には従動ギア３８が接続されている。原動ギア３７と従動ギア３８はお互いの歯車がかみ合うように結合されており、駆動モータ３１の回転力は原動ギア３７及び従動ギア３８を介して送りローラ３０に伝達される構造となっている。
【００９０】
また、図１３乃至図１５にて示されるように、左右のサイドプレート２１，２２間のスペース内にて、上下送りローラ３０，４０の前方には、下側払出口プレート２７とその上方に位置する上側払出口プレート２８とがそれぞれ各サイドプレート２１，２２の前方部にビス止め固定されている。この上下払出口プレート２７，２８の先端部２７ａ，２８ａは上下フロントプレート２３ａ，２３ｂより装置外部へと突出している。
【００９１】
上下払出口プレート２７，２８は、ベースプレート２５より上下送り出しローラ３０，４０を介して搬送されるポケット付連続紙１０を当該上下払出口プレート２７，２８の先端部に設けられた払出口２４へと上下よりガイドしつつ搬送するための水平面状の搬送面を備えている。尚、この例では、上下払出口プレート２７，２８間は搬送されるポケット付連続紙１０内に厚みのあるカード類を収容している、又は、カード類を複数枚収容しているような場合においても搬送に支障のないように寸法設計がされている。
【００９２】
また、図１６にて示されるように、送りローラ４０のローラシャフト４１の中心から上下払出口プレート２７，２８の先端に設けられた払出口２４までの距離Ｌ２は、ポケット付連続紙１０の一担持体１８の長さＬ１よりも長く設定されており、上下払出口プレート２７，２８はフロントプレート２３ａ，２３ｂより先端部２７ａ，２８ａが距離Ｌ３だけ突出するように設計されている。
【００９３】
更に、図１６及び図１７にて示されるように、払出口プレート２７，２８の先端部２７ａ，２８ａの一角には切り欠き部２９が設けられている。このような構成により、一回分の搬送動作が完了すると、カード等を収容している担持体１８の先端部が払出口２４まで搬送され、利用者はこの切り欠き部２９を介して担持体１８をつかむことが可能となっている。また、この切り欠き部２９は払出口プレート先端部２７ａ，２８ａの角に設けられているため、利用者によって担持体が切り欠き部２９より引っ張られると、連続紙１０における各担持体１８の連結部であるミシン目１６に偏った力がかかるため、容易に切り離しを行うことができる。尚、この例においては切り欠き部２９は利用者から向かって左角に設けられているが、右角でも、また、左右両角に設けてもよいことは言うまでもない。
【００９４】
更に、図１４にて記されているように、左側サイドプレート２１には正転逆転切換スイッチ３９が取り付けられるようにしてもよい。この正転逆転切換スイッチ３９は左側サイドプレート２１を貫通して、同図には図示されていない基板６０へと接続されている。この正転逆転切換スイッチ３９は、搬送機構における駆動モータ３１の回転方向を制御するものであり、通常はカード等を収容している担持体１８を払出口２４へと搬送する方向（正転方向）に回転しているが、正転逆転切換スイッチ３９を作動することにより、駆動モータ３１を逆回転させ、担持体１８を払出口２４より遠ざける方向（逆転方向）へと回転させることが可能となる。尚、駆動モータ等を逆回転させるための回路構成等は周知であるためここでの説明は省略する。
【００９５】
次に、図１０乃至図１２を基に、本発明に係るポケット付連続紙１０を使用したカード類Ｃの払出操作をより具体的に説明する。
【００９６】
まず、図１０は、払出動作前の状態を示すもので、このカード払出装置２０におけるケーシングに隣接する格納ケース１００には、ポケット付連続紙１０がジグザグ状に折り畳まれた状態でストックされている。そして、このポケット付連続紙１０の各ポケット担持体１５内にはカード類Ｃが収容されている。
【００９７】
そして、このポケット付連続紙１０の送り端側（この例では、ポケット付連続紙１０の先頭に位置するポケット担持体１８）は、ベースプレート２５と押えプレート２６に挟持され、フラット状態を維持しつつ、始端Ａをカード払出口２４から所定距離後退した図示する箇所に位置させている。
【００９８】
現金の投入等により、スイッチがＯＮ（カード発行信号が発生）されると、駆動モータ３１が動作して、原動プーリー３２、従動プーリー３４間に掛け渡されたタイミングベルト３５が循環動作することにより、送りローラ３０，４０が図１１中矢印方向に回転動作することにより、カード類Ｃを収容したポケット付連続紙１０が所定長さ送り出される。
【００９９】
このとき、図１１に示すように、上側の送りローラ４０が図中Ｆ１方向に可動するため、一般部に比べ厚手のポケット１５においても送りローラ３０，４０間をスムーズに通過でき、かつスプリング４５により適正圧が加わることから、カード類Ｃをポケット１５内に収容した連続用紙１０を円滑に送り操作できる。
【０１００】
そして、次回の払出対象となるポケット担持体１８の裏面に設けたカウントマーク１７が投受光器５０設置箇所を通過したことを検知して、駆動モータ３１の動作が停止し、その結果、送りローラ３０，４０も回転が停止し、ポケット付連続紙１０の送りが停止する（図１２参照）。このとき、送りローラ３０，４０間には、ポケット付連続紙１０の薄肉部分が位置しているため、上側の送りローラ４０は図１２中Ｆ２方向に可動する。
【０１０１】
このように、本実施形態のカード払出装置２０では、カウントマーク１７からカウントマーク１７までの寸法、すなわち、ミシン目１６からミシン目１６までの寸法（この例では７５ｍｍ）が送り出されることになり、ミシン目１６を基に切り取れば、ポケット付連続紙１０の各ポケット担持体１８によりパッケージされたカード類Ｃを簡単に取り出すことができる。尚、切断部分は次の始端Ａとなる。
【０１０２】
このように、本発明に係るカード払出装置２０を使用すれば、ポケット付連続紙１０を所定寸法搬送処理することにより、ポケット担持体１８単位で確実にカード類Ｃを払出すことができ、従来のようにカードの２枚出しや払出不良等のトラブルが生じることなく、精度の良いカードの払出しを確実に行なえる。
【０１０３】
また、本発明に係るカード払出装置２０は、上側ローラ４０が上下動自在に支持され、かつ下方に向けてバネ付勢されているため、ポケット付連続紙１０におけるポケット１５内にカード類Ｃを収容して、ポケット付連続紙１０が局部的に厚くなっても、上側の送りローラ４０が上下動自在であるため、ポケット付連続紙１０の厚み変動に対応することができるとともに、ポケット１５内に厚手のカードや複数枚のカードを収容しても、円滑な搬送が可能であるため、カードの払出形態にバリエーションをもたせることができる。
【０１０４】
更に、払出されるカード類Ｃは、ポケット担持体１８によりそれぞれパッケージされているため、ベースプレート２５や押えプレート２６、あるいは上下側の送りローラ３０，４０により汚れや傷が生じても、直接汚れが付着したり傷等が生じることがなく、カード類Ｃのプロテクタ機能に優れ、カード類Ｃの商品価値を低下させることがない。
【０１０５】
尚、上述の説明では、カードをポケット担持体１８ごと送出するようにしたが、これは、例えば、払出口付近で、ポケット担持体１８とカードとを分離し、カードのみを払い出すような構成とすることも当業者であれば十分に可能である。その場合には、装置外部に別途ごみ箱等を設置する必要もない。
【０１０６】
また、上述の説明では、ポケット付連続紙としたが、この他にも種々の態様の連続担持体を用いることができる。例えば、生産ライン上において、予めカードを連続担持体内に完全密封しておくようにしてもよい。
【０１０７】
また、上述の説明では、主としてカードを１枚ずつ収容担持するものとして説明した、複数枚ずつ収容するようにすることも可能である。
【０１０８】
【発明の効果】
以上説明した通り、本発明の物品払出装置は、連続担持体を構成する各平袋状担持体に所定数量の例えばテレフォンカードや紙幣等の薄手状物品を予め収容担持しておき、それら物品を平袋状担持体単位で順次払い出すものであるから、従前の物品払出装置において問題となっていた薄手物品同士の不意の吸着等に起因する過剰払出や複数枚同時抽出に基づく装置トラブルを未然に防止することができる。
【０１０９】
また、本発明の物品払出装置の払い出し対象となるカード等の薄手物品は、平袋状の担持体に収容されるものであるから、適切な収容態様とすることで、薄手物品の汚損等を未然に防止することも可能となる。
【図面の簡単な説明】
【図１】本発明に係るポケット付連続紙の一実施形態の構成を示す平面図である。
【図２】図１中II−II線断面図である。
【図３】ポケット付連続紙をジグザグ状に折り畳んだ状態を示す説明図である。
【図４】ポケット付連続紙の格納状態を示す図である。
【図５】本発明に係るカード払出装置の一実施形態を示す側面図である。
【図６】カード払出装置の平面図である。
【図７】カード払出装置の回路構成を示す図（その１）である。
【図８】図７に示すＭＰＵの動作内容を示す図である。
【図９】カード払出装置の回路構成を示す図（その２）である。
【図１０】カード払出装置における払出動作前の状態を示す説明図である。
【図１１】カード払出装置における払出動作途中の状態を示す説明図である。
【図１２】カード払出装置における払出動作後の状態を示す説明図である。
【図１３】カード払出装置の外観斜視図
【図１４】カード払出装置の外観斜視図
【図１５】カード払出装置の分解斜視図
【図１６】ローラと連続紙との位置関係の説明図
【図１７】カード払出口に設けられた切り欠き部の説明図
【符号の説明】
１０  ポケット付連続紙
１１  基材シート（連続用紙）
１２  カバーシート（透明フィルム）
１３  溶着部
１４  ポケット開口
１５  ポケット
１６  ミシン目
１７  カウントマーク
１８  ポケット担持体
２０  カード払出装置
２１  左側サイドプレート
２２  右側サイドプレート
２３ａ，２３ｂ  上下フロントプレート
２４  カード払出口
２５  ベースプレート
２６  押えプレート
２７  下側払出口プレート
２７ａ  下側払出口プレート（突出部）
２８  上側払出口プレート
２８ａ  上側払出口プレート（突出部）
２９  切り欠き部
３０  送りローラ（下側）
３１  駆動モータ
３２  原動プーリー
３３  ローラシャフト
３４  従動プーリー
３５  タイミングベルト
３６  テンションローラ
３７  原動ギア
３７ａ  原動ギアの回転軸
３８  従動ギア
３９  正転逆転切換スイッチ
４０  送りローラ（上側）
４１  ローラシャフト
４２  長孔
４３  ブラケットアーム
４４  回動支点
４５  付勢スプリング
４６  ローラシャフト（３３）挿入孔
５０  投受光器
５１  マイクロスイッチ
５２  回動支点
５３  アクチュエータ
５４  スリット開口
５５  送り出しスイッチ
６０  回路基盤
１００  格納ケース
【図１】
0003817695.tif 000002
【図２】
0003817695.tif 000003
【図３】
0003817695.tif 000004
【図４】
0003817695.tif 000005
【図５】
0003817695.tif 000006
【図６】
0003817695.tif 000007
【図７】
0003817695.tif 000008
【図８】
0003817695.tif 000009
【図９】
0003817695.tif 000010
【図１０】
0003817695.tif 000011
【図１１】
0003817695.tif 000012
【図１２】
0003817695.tif 000013
【図１３】
0003817695.tif 000014
【図１４】
0003817695.tif 000015
【図１５】
0003817695.tif 000016
【図１６】
0003817695.tif 000017
【図１７】
0003817695.tif 000018